(57)【要約】      （修正有）【課題】けり出し機構をもつパンチ保持構造の簡素化を図りながら、パンチの先端部をパンチケースに形付きなく完全固定できるパンチ保持装置を提供する。【解決手段】パンチ保持装置のパンチホルダー３内の前部側にパンチ４をテーパーブッシュ７とパンチ受台８を介して支持すると共に、パンチホルダー３内の後部側に、パンチ４、テーパーブッシュ７、パンチ受台８を一緒に前方側に押し出してテーパーブッシュ７の縮径によりパンチ４をパンチホルダー３に固定する締付部材９を備える。受圧部材５と締付部材９との中心部にノックアウトピン６の軸方向の移動を許す内孔５ａを形成し、かつテーパーブッシュ７とパンチ受台８との内周部に軸方向に延びる複数のガイド溝７ａ，８ａを相対状に連通形成し、各ガイド溝７ａ，８ａに、成形後ノックアウトピン６の前進によりブランクをパンチ４の先端部から外方にけり出すけり出しピン１１を摺動自在に配設した。【選択図】図１
0003155624.tif 000002
【実用新案登録請求の範囲】
【請求項１】
ダイに対して進退動するパンチケースと、パンチケース内の前部側に着脱可能に固定されるパンチホルダーと、パンチホルダーに支持されるパンチと、パンチケース内の後部側に設けられる受圧部材と、ノックアウトピン機構とを備えたパンチ保持装置であって、パンチホルダー内の前部側にパンチがテーパーブッシュとパンチ受台を介して支持されると共に、パンチホルダー内の後部側に、パンチ、テーパーブッシュ、パンチ受台を一緒に前方側に押し出してテーパーブッシュの縮径によりパンチをパンチホルダーに固定する締付部材を備える一方、受圧部材と締付部材との中心部にノックアウトピン機構におけるノックアウトピンの軸方向の移動を許す内孔がそれぞれ形成され、かつ、テーパーブッシュとパンチ受台との内周部に軸方向に延びる複数のガイド溝が相対向して連通形成され、これら各ガイド溝に、成形後ノックアウトピンの前進によりブランクをパンチの先端部から外方にけり出すけり出しピンがそれぞれ摺動自在に配設されていることを特徴とするパンチ保持装置。
【請求項２】
パンチがその長さ方向中間部に大径軸部を備えると共に両端に穿穴刃部を有する一方、パンチの大径軸部がテーパーブッシュに支持されると共に、一方の穿穴刃部がパンチ受台に形成された凹部に支持されることを特徴とする請求項１記載のパンチ保持装置。
【請求項３】
締付部材が、パンチホルダー内の後部側に摺動可能に設けられる鍔付締付体と、鍔付締付体をパンチホルダーに締付ける複数の締付ボルトとから構成されていることを特徴とする請求項１又は２記載のパンチ保持装置。
【考案の詳細な説明】
【技術分野】
【０００１】  本考案は、ダイに対して進退動するパンチケースと、パンチケース内の前部側に着脱可能に固定されるパンチホルダーと、パンチホルダーに支持されるパンチと、パンチケース内の後部側に設けられる受圧部材と、ノックアウトピン機構とを備えたパンチ保持装置に関する。
【背景技術】
【０００２】  従来、この種パンチ保持装置は、図６に示すようにダイに対して進退動するラム側に設けられるパンチケースＡに、その奥部側に設けられたパンチ支持台Ｂと受圧部材Ｃを介してパンチＤが支持されると共に、パンチＤの前部側外周に円筒状ストリッパーＥが摺動自由に挿嵌され、かつ、円筒状ストリッパーＥとパンチＤの前部側がパンチケースＡ内の前部にテーパーブッシュＦ，Ｇと筒状支持体Ｈを介して支持される。一方、パンチケースＡ内の奥部で受圧部材Ｃの後面側にはノックアウトピン機構のノックアウトピンＩが軸方向に移動可能に設けられると共に、パンチ支持台Ｂと受圧部材Ｃとを貫通する複数のけり出しピンＪ…Ｊが配設され、成形後、ノックアウトピンＩの前進によりけり出しピンＪ…Ｊを介して円筒状ストリッパーＥを図６の仮想線で示すようにパンチＤよりも前方に押し出し、成形されたブランクＸをパンチＤの先端部から外方にけり出すように構成されている。
【考案の開示】
【考案が解決しようとする課題】
【０００３】  ところで、上記した従来のパンチ保持装置にあっては、複数のけり出しピンＪ…Ｊの前方側に、パンチＤの外周を摺動する円筒状ストリッパーＥが設けられた構成であるため、パンチＤとパンチＤを支持するテーパーブッシュＦ，Ｇとパンチ支持体Ｃとの間に、円筒状ストリッパーＥの摺動を許すための隙間が設けられている。しかし、この隙間を設ける構造上、パンチＣの先端部をパンチケースＡに完全固定することができず、そのため、成形時にパンチＤの先端部においてブレが発生し、精度の高い製品が常に得られないといった問題を有していた。また、円筒状ストリッパーＥを用いることによりけり出し機構をもつパンチ保持構造が複雑となり、また精度の高い加工が要求されるものであった。【０００４】  そこで、本考案は、けり出し機構をもつパンチ保持構造の簡素化を図りながら、パンチの先端部をパンチケースに形付きなく完全固定できるパンチ保持装置の提供を課題とする。
【課題を解決するための手段】
【０００５】  上記した問題を解決するために、本願の請求項１記載の考案は、ダイに対して進退動するパンチケースと、パンチケース内の前部側に着脱可能に固定されるパンチホルダーと、パンチホルダーに支持されるパンチと、パンチケース内の後部側に設けられる受圧部材と、ノックアウトピン機構とを備えたパンチ保持装置であって、パンチホルダー内の前部側にパンチがテーパーブッシュとパンチ受台を介して支持されると共に、パンチホルダー内の後部側に、パンチ、テーパーブッシュ、パンチ受台を一緒に前方側に押し出してテーパーブッシュの縮径によりパンチをパンチホルダーに固定する締付部材を備える一方、受圧部材と締付部材との中心部にノックアウトピン機構におけるノックアウトピンの軸方向の移動を許す内孔がそれぞれ形成され、かつ、テーパーブッシュとパンチ受台との内周部に軸方向に延びる複数のガイド溝が相対向して連通形成され、これら各ガイド溝に、成形後ノックアウトピンの前進によりブランクをパンチの先端部から外方にけり出すけり出しピンがそれぞれ摺動自在に配設されていることを特徴とする。【０００６】  また、本願の請求項２記載の考案は、請求項１記載の構成におけるパンチがその長さ方向中間部に大径軸部を有すると共に両端に穿穴刃部を有する一方、パンチの大径軸部がテーパーブッシュに支持されると共に、一方の穿穴刃部がパンチ受台に形成された凹部に支持されることを特徴とする。【０００７】  また、本願の請求項３記載の考案は、請求項１又は２記載の構成における締付部材が、パンチホルダー内の後部側に摺動可能に設けられる鍔付締付体と、鍔付締付体をパンチホルダーに締付ける複数の締付ボルトとから構成されていることを特徴とする。
【考案の効果】
【０００８】  本考案によれば、テーパーブッシュと筒状支持体との内周部に軸方向に延びる複数のガイド溝が形成され、これら各ガイド溝に、成形後ノックアウトピンの前進によりブランクをパンチの先端部から外方にけり出すけり出しピンがそれぞれ摺動自在に配設されているので、従来における円筒状ストリッパーを不要にしてけり出し機構をもつパンチ保持構造の簡素化を図ることができ、しかも、パンチの先端部をテーパーブッシュの縮径による締付けによりパンチケースにガタつきなく完全固定することができる。その結果、成形時にパンチの先端部にブレが発生するのを阻止して、高精度の成形品を得ることができる。【０００９】  また、パンチとして両端に同一サイズの穿穴刃部を有するダブルパンチを用いるようにすれば、使用により一方の穿穴刃部が摩耗したとき、他方の穿穴刃部に取り替えることができ、非常に経済的であるし、また、たとえば両端にサイズの異なる穿穴刃部を有するダブルパンチを用いるようにすれば、成形すべきサイズに合わせて使用する穿穴刃部を任意に変更することができるのでこのましい。【００１０】  さらに、締付部材が、パンチホルダー内の後部側に摺動可能に設けられる鍔付締付体と、鍔付締付体をパンチホルダーに締付ける複数の締付ボルトとからなる構成とすることにより、複数の締付ボルトの締付けにより、パンチ、テーパーブッシュ、パンチ受台を一緒に前方側に正確に押し出してテーパーブッシュの縮径によりパンチをパンチホルダーに確実に固定することができるのでこのましい。
【考案を実施するための最良の形態】
【００１１】  以下、本考案の実施の形態を図に基づいて説明する。【００１２】  図１、図２は本考案に係るパンチ保持装置を示し、パンチ保持装置１は、ダイ（図示せず）に対して進退動するパンチケース２と、パンチケース２内の前部側に着脱可能に固定されるパンチホルダー３と、パンチホルダー３に支持されるパンチ４と、パンチケース２内の後部側に設けられる受圧部材５と、ノックアウトピン機構（図示せず）のノックアウトピン６とを備えている。【００１３】  パンチホルダー３内の前部側には、パンチ４がテーパーブッシュ７と凹所８０をもつパンチ受台８を介して支持されると共に、パンチホルダー３内の後部側に、パンチ４、テーパーブッシュ７、パンチ受台８を一緒に前方側に押し出してテーパーブッシュ７の縮径によりパンチ４をパンチホルダー３に固定する締付部材９を備える。その場合、パンチホルダー３の内孔３ａの前部側には、テーパーブッシュ７のテーパー外周面と符合しかつ先端側に行く程小径となるテーパー面３ｂが形成され、また、内孔３ａの後部側には、スプライン溝３ｃが形成され、さらに後端面には複数のねじ穴３ｄ…３ｄが形成されている。締付部材９は、外周に上記スプライン溝３ｃに摺動可能に嵌挿されるスプライン９１ａを備えた筒状で鍔部９１ｂ付きの締付体９１と、この鍔付締付体９１をパンチホルダー３に複数のねじ穴３ｄ…３ｄを介して締付ける複数の締付ボルト９２…９２とから構成されている。この締付ボルト９２…９２による鍔付締付体９１のパンチホルダー３への締付けにより、パンチホルダー３にパンチ４、テーパーブッシュ７、パンチ受台８と締付部材９がカセット状に一体化される。カセット状に一体化されたパンチホルダー３は、パンチホルダー３内に嵌合され、たとえば図１において仮想線で示す固定ボルト１０等の適宜固定手段により着脱可能に固定される。【００１４】  一方、受圧部材５と締付体９１の中心部には、ノックアウトピン６の軸方向の移動を許す内孔５ａ，９ａがそれぞれ形成され、かつ、テーパーブッシュ７とパンチ受台８との内周部に軸方向に延びる複数のガイド溝７ａ…７ａ，８ａ…８ａが相対向して連通形成され、これら各ガイド溝７ａ…７ａ，８ａ…８ａに、成形後ノックアウトピン６の前進により成形されたブランクＸをパンチ４の先端側穿穴刃部４ａから外方にけり出すけり出しピン１１…１１がそれぞれ摺動自在に配設されている。【００１５】  パンチ４としては、両端に同一サイズの穿穴刃部４ａ，４ｂを有するダブルパンチを用いている。【００１６】  次に、以上のように構成したパンチ保持装置の作用について説明する。【００１７】  まず、パンチケース２の前進動作によりパンチ４がダイ側に前進してその先端側穿穴刃部４ａによりブランクＸに凹所などの成形を行う。成形後、パンチケース２の後退動作によりパンチ４が後退するとき、パンチ４の先端側穿穴刃部４ａ外周に嵌り込んだブランクＸもパンチと一緒に後退移動することになる。このときパンチが後退するタイミングでノックアウト機構のノックアウトピン６が前進されて各けり出しピン１１…１１がそれぞれ前進移動される。これにより図５に示すように各けり出しピン１１…１１により直接パンチ４の先端側穿穴刃部４ａ外���に嵌り込んだブランクＸをパンチ４の先端側穿穴刃部４ａから外部に押し出して排出することができる。したがって、従来における円筒状ストリッパーを不要にして、けり出し機構をもつパンチ保持構造の簡素化を図ることができる。しかも、パンチ４の先端側部分をテーパーブッシュ７の縮径により締付け固定する固定構造を採用しているので、パンチ７をパンチケース２にガタつきなく完全固定することができる。その結果、成形時にパンチ４の先端側穿穴刃部４ａにブレが発生するのを阻止して、高精度の成形品を得ることができる。【００１８】  また、パンチ４として両端に同一サイズの穿穴刃部４ａ，４ｂを有するダブルパンチを用いているので、使用により一方の穿穴刃部４ａが摩耗したときには、まず、パンチホルダー３をパンチケース２から取り外し、その後、締付ボルト９２…９２を緩めてパンチ４をパンチホルダー３内から取出し、その前後を返して他方の穿穴刃部４ｂが先端となる状態のもとでパンチホルダー３内に差し込み、然る後、締付ボルト９２…９２を締付けることによりパンチホルダー３内にセットし、その後、パンチホルダー３をパンチケース２に固定することにより取り替えることができる。これにより、新たなパンチ４に交換しなくてもよいので、非常に経済的である。また、たとえば両端にサイズの異なる穿穴刃部を有するダブルパンチを用いるようにすれば、成形すべきサイズに合わせて使用する穿孔刃部を任意に変更することもできる。【００１９】  さらに、締付部材９が、パンチホルダー３内の後部側に摺動可能に設けられる鍔付締付体９１と、鍔付締付体９１をパンチホルダー３に締付ける複数の締付ボルト９２…９２とからなる構成とすることにより、複数の締付ボルト９２…９２の締付けによってパンチ４、テーパーブッシュ７、パンチ受台８を一緒に前方側に正確に押し出してテーパーブッシュ７を縮径させてパンチ４をパンチホルダー３に確実に固定することができる。【００２０】  なお、上記した実施の形態では、穿穴刃部４ａ，４ｂによりブランクＸに凹所を設けるようにしたものについて説明したけれども、何ら凹所に限られるものではなく、貫通穴などであってもよいこと勿論である。
【図面の簡単な説明】
【００２１】
【図１】  本考案に係るパンチ保持装置の縦断側面図である。
【図２】  パンチ支持台の縦断側面図である。
【図３】  図２のＡ−Ａ断面図である。
【図４】  テーパーブッシュの縦断側面図である。
【図５】  パンチ保持装置のけり出し状態を示す縦断側面図である。
【図６】  従来の説明図である。
【符号の説明】
【００２２】１        パンチ保持装置
２        パンチケース
３        パンチホルダー
４        パンチ
４ａ      穿穴刃部
４ｂ      穿穴刃部
５        荷受部材
６        ノックアウトピン
７        テーパーブッシュ
８        パンチ支持体
９        締付部材
９１      鍔付締付体
９２      締付ボルト
１１      けり出しピン
【図１】
0003155624.tif 000003
【図２】
0003155624.tif 000004
【図３】
0003155624.tif 000005
【図４】
0003155624.tif 000006
【図５】
0003155624.tif 000007
【図６】
0003155624.tif 000008